(57)【要約】  同期追跡参照信号の送信処理、受信処理方法及び装置を提供する。上記送信処理方法は、基地局が新しいキャリアに同期追跡参照信号用のサブフレームのパターン情報を配置し、ここで、サブフレームのパターン情報は無線フレームにおけるＳＴＲＳ送信用のサブフレームを記述するためのものであって、基地局が配置されたサブフレームのパターン情報をユーザ機器に送信するステップを含む。本発明によると、関連技術においてＳＴＲＳを如何に送信するかの技術案が開示されていないのでＳＴＲＳの新しいキャリアでの送信を実現することのできない等の問題を解決でき、新しいキャリアでのＳＴＲＳの送信を実現できる。
2015523763.tif 000002
【特許請求の範囲】
【請求項１】
基地局が、新しいキャリアに同期追跡参照信号ＳＴＲＳ用のサブフレームのパターン情報を配置し、ここで、前記サブフレームのパターン情報は無線フレームにおけるＳＴＲＳ送信用のサブフレームを記述するためのものであって、
前記基地局が、配置された前記サブフレームのパターン情報をユーザ機器ＵＥに送信するステップを含む同期追跡参照信号の送信処理方法。
【請求項２】
前記基地局が、配置された前記サブフレームのパターン情報をユーザ機器ＵＥに送信するステップが、
前記基地局が、新しいキャリアとペアをなす互換性キャリアを介して、前記サブフレームのパターン情報を携帯した所定のシグナリングをＵＥに送信するステップを含む請求項１に記載の方法。
【請求項３】
前記サブフレームのパターン情報が、
ＳＴＲＳ送信用のサブフレームの無線フレームにおける初期サブフレームオフセット量、ＳＴＲＳ積載用のサブフレームのサブフレームパターン組合せ、無線フレームにおけるＳＴＲＳ積載用のサブフレームに対応するサブフレーム識別子の中の一つを含む請求項１に記載の方法。
【請求項４】
前記基地局が、配置された前記サブフレームのパターン情報をＵＥに送信する際、さらに、
前記サブフレームのパターン情報が前記初期サブフレームオフセット量である場合、前記基地局と前記ＵＥとの間で予め約定した固定周期でＳＴＲＳを送信することを含む請求項３に記載の方法。
【請求項５】
前記サブフレームのパターン組合せが、
ＳＴＲＳを積載したサブフレーム＃０と＃５の組合せ、ＳＴＲＳを積載したサブフレーム＃１と＃６の組合せ、ＳＴＲＳを積載したサブフレーム＃２と＃７の組合せ、ＳＴＲＳを積載したサブフレーム＃３と＃８の組合せ、ＳＴＲＳを積載したサブフレーム＃４と＃９の組合せの中の一つを含む請求項３に記載の方法。
【請求項６】
時分割複信ＴＤＤモードで、
前記新しいキャリアが使用したアップリンク・ダウンリンク配置を確定し、
予定の規則に従って、予め設定した複数のサブフレームのパターン組合せから前記アップリンク・ダウンリンク配置でＳＴＲＳ伝送用のサブフレームのパターン組合せを確定する方式で前記サブフレームのパターン組合せを確定する請求項３に記載の方法。
【請求項７】
前記予定の規則が、
前記アップリンク・ダウンリンク配置が０である場合、前記ＳＴＲＳを積載したサブフレーム組合せはサブフレーム＃０とサブフレーム＃５、又はサブフレーム＃１とサブフレーム＃６であって、
前記アップリンク・ダウンリンク配置が１である場合、前記ＳＴＲＳを積載したサブフレーム組合せはサブフレーム＃０とサブフレーム＃５、又はサブフレーム＃１とサブフレーム＃６、又はサブフレーム＃４とサブフレーム＃９であって、
前記アップリンク・ダウンリンク配置が２である場合、前記ＳＴＲＳを積載したサブフレーム組合せはサブフレーム＃０とサブフレーム＃５、又はサブフレーム＃１とサブフレーム＃６、又はサブフレーム＃３とサブフレーム＃８、又はサブフレーム＃４とサブフレーム＃９、又はサブフレーム＃０、サブフレーム＃３、サブフレーム＃６とサブフレーム＃９であって、
前記アップリンク・ダウンリンク配置が３である場合、前記ＳＴＲＳを積載したサブフレーム組合せはサブフレーム＃０とサブフレーム＃５、又はサブフレーム＃２とサブフレーム＃６であって、
前記アップリンク・ダウンリンク配置が４である場合、前記ＳＴＲＳを積載したサブフレーム組合せはサブフレーム＃０とサブフレーム＃５、又はサブフレーム＃２とサブフレーム＃６、又はサブフレーム＃４とサブフレーム＃９であって、
前記アップリンク・ダウンリンク配置が５である場合、前記ＳＴＲＳを積載したサブフレーム組合せはサブフレーム＃０とサブフレーム＃５、又はサブフレーム＃２とサブフレーム＃６、又はサブフレーム＃３とサブフレーム＃８、又はサブフレーム＃４とサブフレーム＃９であって、
前記アップリンク・ダウンリンク配置が６である場合、前記ＳＴＲＳを積載したサブフレーム組合せはサブフレーム＃０とサブフレーム＃５、又はサブフレーム＃２とサブフレーム＃６である請求項６に記載の方法。
【請求項８】
前記固定周期が１０ｍｓである場合、配置された前記サブフレームのパターン情報をユーザ機器ＵＥに送信するステップが、
前記サブフレーム識別子を前記ＵＥに送信することを含む請求項４に記載の方法。
【請求項９】
前記初期サブフレームオフセット量が、
無線フレームにおけるＳＴＲＳ積載用の初期サブフレームの番号、無線フレームにおける一番目のサブフレームから後ろへ予定の数のサブフレームの間隔をあけたオフセット量の中の一つの形態である請求項３に記載の方法。
【請求項１０】
前記初期サブフレームオフセット量の値は、０、１、２、３、４であって、又はその値の集合が、０、１、２、３、４からなる組合せの中の一つ又は複数の組合せの値の集合である請求項３に記載の方法。
【請求項１１】
ＴＤＤモードで、前記新しいキャリアのアップリンク・ダウンリンク配置を用いて前記その値の範囲又はその値の集合を確定し、
アップリンク・ダウンリンク配置が０である場合、その値の範囲は０、１であって、又はその値の集合は０、１からなる組合せの中の一つ又は複数の組合せの集合であって、
アップリンク・ダウンリンク配置が１である場合、その値の範囲は０、１、４であって、又はその値の集合は０、１、４の中の一つ又は複数の組合せの集合であって、
アップリンク・ダウンリンク配置が２である場合、その値の範囲は０、１、３、４であって、又はその値の集合は０、１、３、４の中の一つ又は複数の組合せの集合であって、
アップリンク・ダウンリンク配置が３である場合、その値の範囲は０、１であって、又はその値の集合は０、１の中の一つ又は複数の組合せの集合であって、
アップリンク・ダウンリンク配置が４である場合、その値の範囲は０、１、４であって、又はその値の集合は０、１、４の中の一つ又は複数の組合せの集合であって、
アップリンク・ダウンリンク配置が５である場合、その値の範囲は０、１、３、４であって、又はその値の集合は０、１、３、４の中の一つ又は複数の組合せの集合であって、
アップリンク・ダウンリンク配置が６である場合、その値の範囲は０、１であって、又はその値の集合は０、１の中の一つ又は複数の組合せの集合であって、
０、１、３、４はそれぞれ、無線フレームにおける一番目、二番目、四番目、五番目のサブフレームを表し、対応するサブフレーム番号は＃０、＃１、＃３と＃４である請求項１０に記載の方法。
【請求項１２】
前記初期サブフレームオフセット量の値は、サブフレーム番号の固定周期に対する残りに等しく、ここで、前記固定周期は前記基地局と前記ＵＥが予め約定したＳＴＲＳの送信に用いられる固定周期である請求項１０に記載の方法。
【請求項１３】
前記サブフレームのパターン組合せをインデックス番号で示す場合、前記基地局が配置された前記サブフレームのパターン情報をＵＥに送信するステップが、
前記基地局が前記インデックス番号を前記ＵＥに送信することを含む請求項３に記載の方法。
【請求項１４】
前記基地局が取得した前記サブフレームのパターン情報をＵＥに送信した後、
前記ＵＥが前記サブフレームのパターン情報が空白であると確定した場合、ＵＥは前記新しいキャリアでメイン同期信号ＰＳＳとサブ同期信号ＳＳＳを送信していないと判定し、ＵＥが前記新しいキャリアが前記互換性キャリアと時間及び周波数で同期であると確定し、また、前記ＵＥが前記サブフレームのパターン情報が空白ではないと確定した場合、前記ＵＥは前記新しいキャリアで前記ＰＳＳ/ＳＳＳを送信したと判定し、前記ＵＥが新しいキャリアで前記ＰＳＳ/ＳＳＳを受信し、前記新しいキャリアとの同期操作を実行するステップを更に含む請求項２に記載の方法。
【請求項１５】
前記基地局が前記新しいキャリアとペアをなす互換性キャリアを介して、所定のシグナリングをＵＥに送信するステップが、
前記基地局が前記新しいキャリアとペアをなす互換性キャリアを介して、前記所定の命令を携帯したRRCConnectionReconfigurationメッセージ又はmeasConfigメッセージを前記ＵＥに送信することを含む請求項２に記載の方法。
【請求項１６】
前記基地局が、取得した前記サブフレームのパターン情報をＵＥに送信する前、
同一の新しいキャリアの無線フレームに同一のサブフレームのパターン情報を配置するステップを更に含む請求項２に記載の方法。
【請求項１７】
前記基地局が同期追跡参照信号ＳＴＲＳの無線フレームにおけるサブフレームのパターン情報を取得する前、
隣接セルに前記ＳＴＲＳを配置する場合、互いに隣接するセルにおける各セルに異なるサブフレームのパターン情報を配置するステップを更に含む請求項１に記載の方法。
【請求項１８】
本基地局に位置する同期追跡参照信号のパラメーターの送信処理装置であって、
新しいキャリアに同期追跡参照信号ＳＴＲＳ用の、無線フレームにおけるＳＴＲＳ送信用のサブフレームを記述するためのサブフレームのパターン情報を配置する配置モジュールと、
配置された前記サブフレームのパターン情報をユーザ機器ＵＥに送信する送信モジュールと、を含む同期追跡参照信号のパラメーターの送信処理装置。
【請求項１９】
前記送信モジュールは、前記新しいキャリアとペアをなす互換性キャリアを介して、前記サブフレームのパターン情報を携帯した所定のシグナリングをＵＥに送信する請求項１８に記載の装置。
【請求項２０】
前記サブフレームのパターン情報が、
ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む請求項１８に記載の装置。
【請求項２１】
前記サブフレームのパターン組合せが、
ＳＴＲＳを積載したサブフレーム＃０と＃５の組合せ、ＳＴＲＳを積載したサブフレーム＃１と＃６の組合せ、ＳＴＲＳを積載したサブフレーム＃２と＃７の組合せ、ＳＴＲＳを積載したサブフレーム＃３と＃８の組合せ、ＳＴＲＳを積載したサブフレーム＃４と＃９の組合せの中の一つである請求項２０に記載の装置。
【請求項２２】
前記配置モジュールは、時分割複信ＴＤＤモードで、
前記新しいキャリアが使用するアップリンク・ダウンリンク配置を確定し、予定の規則に従って、予め設定した複数のサブフレームのパターン組合せから前記アップリンク・ダウンリンク配置でＳＴＲＳ伝送用の前記サブフレームのパターン組合せを確定する方式で前記サブフレームのパターン情報を確定する請求項２０に記載の装置。
【請求項２３】
前記初期サブフレームオフセット量が、
無線フレームにおけるＳＴＲＳ積載用の初期サブフレームの番号、無線フレームにおける一番目のサブフレームから後ろへ所定の数のサブフレームの間隔をあけたオフセット量の中の一つの形態である請求項２０に記載の装置。
【請求項２４】
前記初期サブフレームオフセット量のその値の範囲は０、１、２、３、４であって、又はその値の集合は０、１、２、３、４からなる組合せの中の一つ又は複数の組合せの値の集合である請求項２０に記載の装置。
【請求項２５】
ユーザ機器ＵＥが第１のキャリアでサブフレームのパターン情報を受信し、前記サブフレームのパターン情報に基づいて第２のキャリアにおける同期追跡参照信号ＳＴＲＳの送信サブフレームを確定するステップを含み、前記サブフレームのパターン情報は無線フレームにおけるＳＴＲＳ送信用のサブフレームを記述するものであって、前記第１のキャリアと前記第２のキャリアが同じであるか又は異なる同期追跡参照信号の受信処理方法。
【請求項２６】
前記第１のキャリアと第２のキャリアが異なる場合、前記第１のキャリアが前記第２のキャリアとペアをなすキャリアであって、前記第１のキャリアが後方互換性のあるキャリアで、前記第２のキャリアが新しいキャリアである請求項２５に記載の方法。
【請求項２７】
前記サブフレームのパターン情報が、
ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む請求項２６に記載の方法。
【請求項２８】
前記ＵＥがサブフレームのパターン情報を受信する場合、
前記サブフレームのパターン情報が初期サブフレームオフセット量である場合、前記ＵＥと基地局との間で予め約定した固定周期でＳＴＲＳを送信することを含む請求項２５に記載の方法。
【請求項２９】
前記サブフレームのパターン組合せは、
サブフレーム＃０と＃５の組合せ、＃１と＃６の組合せ、サブフレーム＃２と＃７の組合せ、サブフレーム＃３と＃８の組合せ、サブフレーム＃４と＃９の組合せの中の一つのＳＴＲＳを積載したサブフレーム組合せを含む請求項２７に記載の方法。
【請求項３０】
時分割複信ＴＤＤモードで、
前記第２のキャリアが使用したアップリンク・ダウンリンク配置を確定し、
予定の規則に従って、予め設定した複数のサブフレームのパターン組合せから前記アップリンク・ダウンリンク配置でＳＴＲＳ伝送用の前記サブフレームのパターン組合せを確定する方式で
前記サブフレームのパターン組合せを確定する請求項２７に記載の方法。
【請求項３１】
前記予定の規則が、
前記アップリンク・ダウンリンク配置が０である場合、前記ＳＴＲＳを積載したサブフレーム組合せはサブフレーム＃０とサブフレーム＃５、又はサブフレーム＃１とサブフレーム＃６を含み、
前記アップリンク・ダウンリンク配置が１である場合、前記ＳＴＲＳを積載したサブフレーム組合せはサブフレーム＃０とサブフレーム＃５、サブフレーム＃１とサブフレーム＃６、サブフレーム＃４とサブフレーム＃９の中の一つを含み、
前記アップリンク・ダウンリンク配置が２である場合、前記ＳＴＲＳを積載したサブフレーム組合せはサブフレーム＃０とサブフレーム＃５、サブフレーム＃１とサブフレーム＃６、サブフレーム＃３とサブフレーム＃８、サブフレーム＃４とサブフレーム＃９、サブフレーム＃０、サブフレーム＃３、サブフレーム＃６、サブフレーム＃９の中の一つを含み、
前記アップリンク・ダウンリンク配置が３である場合、前記ＳＴＲＳを積載したサブフレーム組合せはサブフレーム＃０とサブフレーム＃５、サブフレーム＃２とサブフレーム＃６の中の一つを含み、
前記アップリンク・ダウンリンク配置が４である場合、前記ＳＴＲＳを積載したサブフレーム組合せはサブフレーム＃０とサブフレーム＃５、サブフレーム＃２とサブフレーム＃６、サブフレーム＃４とサブフレーム＃９の中の一つを含み、
前記アップリンク・ダウンリンク配置が５である場合、前記ＳＴＲＳを積載したサブフレーム組合せはサブフレーム＃０とサブフレーム＃５、サブフレーム＃２とサブフレーム＃６、サブフレーム＃３とサブフレーム＃８、サブフレーム＃４とサブフレーム＃９の中の一つを含み、
前記アップリンク・ダウンリンク配置が６である場合、前記ＳＴＲＳを積載したサブフレーム組合せはサブフレーム＃０とサブフレーム＃５、サブフレーム＃２とサブフレーム＃６の中の一つを含む
ことを含む請求項３０に記載の方法。
【請求項３２】
前記固定周期が、２ｍｓ又は３ｍｓ又は５ｍｓであるか、又は２ｍｓと３ｍｓの間隔をあけて現れる請求項２８に記載の方法。
【請求項３３】
前記初期サブフレームオフセット量が、
無線フレームにおけるＳＴＲＳ積載用の初期サブフレームの番号、無線フレームにおける一番目のサブフレームから後ろへ所定の数のサブフレームの間隔をあけたオフセット量の中の一つの形態である請求項２７に記載の方法。
【請求項３４】
前記初期サブフレームオフセット量のその値の範囲は０、１、２、３、４であって、又はその値の集合は０、１、２、３、４からなる組合せの中の一つ又は複数の組合せの値の集合である請求項２７に記載の方法。
【請求項３５】
ＴＤＤモードで、ＵＥが前記第２のキャリアのアップリンク・ダウンリンク配置を用いて前記値の範囲又はその値の集合を確定し、
アップリンク・ダウンリンク配置が０である場合、その値の範囲は０、１であって、又はその値の集合は０、１からなる一つ又は複数の組合せの集合であって、
アップリンク・ダウンリンク配置が１である場合、その値の範囲は０、１、４であって、又はその値の集合は０、１、４の中の一つ又は複数の組合せの集合であって、
アップリンク・ダウンリンク配置が２である場合、その値の範囲は０、１、３、４であって、又はその値の集合は０、１、３、４の中の一つ又は複数の組合せの集合であって、
アップリンク・ダウンリンク配置が３である場合、その値の範囲は０、１であって、又はその値の集合は０、１の中の一つ又は複数の組合せの集合であって、
アップリンク・ダウンリンク配置が４である場合、その値の範囲は０、１、４であって、又はその値の集合は０、１、４の中の一つ又は複数の組合せの集合であって、
アップリンク・ダウンリンク配置が５である場合、その値の範囲は０、１、３、４であって、又はその値の集合は０、１、３、４の中の一つ又は複数の組合せの集合であって、
アップリンク・ダウンリンク配置が６である場合、その値の範囲は０、１であって、又はその値の集合は０、１の中の一つ又は複数の組合せの集合であって、
０、１、３、４はそれぞれ無線フレームにおける一番目、二番目、四番目、五番目のサブフレームを示し、対応するサブフレーム番号は＃０、＃１、＃３と＃４である請求項３４に記載の方法。
【請求項３６】
前記初期サブフレームオフセット量の値は、サブフレーム番号の固定周期に対する残りに等しく、前記固定周期は基地局と前記ＵＥが予め約定したＳＴＲＳの送信に用いられる固定周期である請求項３４に記載の方法。
【請求項３７】
前記ＵＥが前記サブフレームのパターン情報を受信した後、
前記ＵＥが前記サブフレームのパターン情報が空白である確定した場合、ＵＥは前記第２のキャリアでメイン同期信号ＰＳＳとサブ同期信号ＳＳＳを送信していないと判定し、ＵＥは前記第２のキャリアが互換性キャリアと時間及び周波数で同期していると確定し、また、前記ＵＥが前記サブフレームのパターン情報が空白ではないと確定した場合、前記ＵＥは前記第２のキャリアで前記ＰＳＳとＳＳＳを送信したと判定し、前記ＵＥは第２のキャリアで前記ＰＳＳとＳＳＳを受信し、前記第２のキャリアとの同期操作を行うステップを更に含む請求項２５に記載の方法。
【請求項３８】
ＵＥに位置する同期追跡参照信号の受信処理装置であって、
第１のキャリアで無線フレームにおける同期追跡参照信号ＳＴＲＳ送信用のサブフレームサブフレームを記述するためのパターン情報を受信する受信モジュールと、
前記サブフレームのパターン情報に基づいて、第２のキャリア中のＳＴＲＳ送信用のサブフレームを確定する確定モジュールと、を含み、
前記第１のキャリアと前記第２のキャリアが同じであるか又は異なる同期追跡参照信号の受信処理装置。
【請求項３９】
前記確定モジュールは、前記第１のキャリアが前記第２のキャリアとペアをなすキャリアである場合、前記第２のキャリア中のＳＴＲＳ送信用のサブフレームを確定し、前記第１のキャリアは後方互換性のあるキャリアで、前記第２のキャリアは新しいキャリアである請求項３８に記載の装置。
【請求項４０】
前記受信モジュールは、前記サブフレームのパターン情報が、
ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つである場合、
前記サブフレームのパターン情報を受信する請求項３８に記載の装置。
【発明の詳細な説明】
【技術分野】
【０００１】
本発明は、通信分野に関し、具体的に、同期追跡参照信号の送信処理、受信処理方法及び装置に関するものである。
【背景技術】
【０００２】
移動通信産業の発展及び移動データ業務に対する需要の増加に伴って、移動通信のレート及びサービス品質（Quality  of  Service、ＱｏＳと略称）に対する要求もますます高まっていて、そのため、第３世代移動通信（３Ｇ）がまだ汎用されていないまま次世代の移動通信システムの研究及び開発作業を開始されていて、その中、典型的なのは第３世代パートナーシップ・プロジェクト（3rd  Generation  Partnership  Project、３ＧＰＰと略称）でスタートした長期進化（Long-Term  Evolution、ＬＴＥと略称）項目で、ＬＴＥシステムにより提供可能な最高の周波数帯域幅は２０ＭＨｚ（メガヘルツ）である。ネットワークの進化に伴って、高級長期進化（Long-Term  Evolution  Advance、ＬＴＥ-Ａと略称）は、ＬＴＥの進化システムとして、１００ＭＨｚに達する周波数帯域幅を提供でき、一層柔軟で高品質の通信を支援することができ、同時に、ＬＴＥ-Ａシステムは優れた後方互換性を有する。ＬＴＥ-Ａシステムには複数のコンポーネントキャリア（Component  Carrier、ＣＣと略称）があって、一つのＬＴＥ端末は一つの後方互換性のＣＣで作業するしかできないが、強い能力を持つＬＴＥ-Ａ端末は複数のＣＣで同時に伝送することができる。即ち、ＬＴＥ-Ａの端末は同時に複数のコンポーネントキャリアでデータの伝送及び受信を行い、帯域幅を拡張する目的を実現でき、当該技術はマルチキャリアアグリゲーション技術と呼ばれる。
【０００３】
ＬＴＥ-Ａシステムにおいて、マルチキャリアアグリゲーション技術を支援し、マルチキャリアアグリゲーションによって一層広い帯域幅を求めてデータを伝送する目的を実現する。基地局に所属されるキャリアは最高で五つで、これらのキャリアがコンポーネントキャリアと呼ばれ、いずれも後方互換性のあるキャリアであって、初期ＬＴＥバージョンのユーザ機器（User  Equipment、ＵＥと略称）の作業を支援する。基地局が一つのＵＥに複数のコンポーネントキャリアを配置することができ、また、その中の一部又は全部のコンポーネントキャリアをＵＥのために活性化し、活性化されたコンポーネントキャリアはＵＥにデータの伝送を行うことができる。
【０００４】
現在の研究段階において、マルチキャリアアグリゲーション技術に基づいて、ＬＴＥ  Ｒ１１（Release11）段階において周波数スペクトルリソースの利用率、ネットワークの省エネルギー及びセル間の干渉抑制面で新しい要求を提示した。当該目的を実現するため、新しいキャリア（New  Carrier  Type）を提示し、キャリアアグリゲーション技術に基づいて応用され、新しいキャリアは、設計する際に後方互換性を考慮する必要がない特徴を有し、更に多い新しい技術が用いられている。例えば、今のＬＴＥ  Ｒ１１において新しいキャリアを、少なくとも一つの互換性キャリアとペアをなして応用されるべきであると定義し、新しいキャリアにＬＴＥ  Ｒ８のセル専用参照信号（Cell-specific  Reference  Signals、ＣＲＳと略称）を配置していなく、隣接セルのセル縁部におけるＣＲＳ干渉を防止し、特に、ヘテロジニアスネットワーク（Heterogeneous  Network、ＨｅｔＮｅｔと略称）でのマクロセルとマイクロセルとの間のＣＲＳ干渉を防止するが、新しいキャリアにＬＴＥ  Ｒ８  ＣＲＳを配置していないので、新しいキャリアに同期追跡を行うに用いられる参照信号がない問題が存在する。今までの新しいキャリアの検討において、一部の会社は、一部の新しいキャリア（例えば、同期新しいキャリア）にメイン同期信号/サブ同期信号（Primary  Synchronization  Signal/Secondary  Synchronization  Signal、ＰＳＳ/ＳＳＳと略称）を配置せずに送信し、ＰＳＳ/ＳＳＳのリソースをデータ伝送に用いて、ＵＥが互換性キャリアを介して新しいキャリアとの同期を実現する技術が提案されている。一部の新しいキャリア（例えば、非同期の新しいキャリア）の場合、依然としてＰＳＳ/ＳＳＳを配置する。新しいキャリアに主に同期追跡に用いられる参照信号を導入し、同期追跡参照信号（Synchronization  Track  Reference  Signals、ＳＴＲＳと略称）と呼ばれ、ＳＴＲＳの今の送信周期は５ｍｓであって、全帯域幅の形態でＳＴＲＳを送信するかそれともサブ帯域幅の形態（キャリア中のＮ個のリソースブロック（Resource  Block、ＲＢと略称）で送信し、Ｎは６以上の整数である）でＳＴＲＳを送信するかは、まだ検討中であって、未だに確定された送信形態はない。つまり、既存技術において、如何にＳＴＲＳの送信を行うかの技術案が提示されていなく、この故、ＳＴＲＳの新しいキャリアでの送信が実現されていない。
関連技術における上記問題に鑑み、未だに有効な解決案を提示していない。
【発明の概要】
【発明が解決しようとする課題】
【０００５】
本発明は、関連技術においてＳＴＲＳを如何に送信するかの技術案が提示されていないのでＳＴＲＳの新しいキャリアでの送信を実現できない問題に鑑み、少なくとも当該技術課題を解決できる同期追跡参照信号の送信処理、受信処理方法及び装置を提供することをその目的とする。
【課題を解決するための手段】
【０００６】
本発明の実施例によると、基地局が、新しいキャリアに同期追跡参照信号（ＳＴＲＳ）用のサブフレームのパターン情報を配置し、ここで、サブフレームのパターン情報は無線フレームにおけるＳＴＲＳ送信用のサブフレームを記述するためのものであって、基地局が、配置されたサブフレームのパターン情報をユーザ機器（ＵＥ）に送信するステップを含む同期追跡参照信号の送信処理方法を提供する。
【０００７】
基地局が、配置されたサブフレームのパターン情報をユーザ機器ＵＥに送信するステップが、基地局が、新しいキャリアとペアをなす互換性キャリアを介して、サブフレームのパターン情報を携帯した所定のシグナリングをＵＥに送信するステップを含む。
【０００８】
サブフレームのパターン情報は、ＳＴＲＳ送信用のサブフレームの無線フレームにおける初期サブフレームオフセット量、ＳＴＲＳ積載用のサブフレームのサブフレームパターン組合せ、無線フレームにおけるＳＴＲＳ積載用のサブフレームに対応するサブフレーム識別子の中の一つを含む。
【０００９】
基地局が、配置されたサブフレームのパターン情報をＵＥに送信する際、サブフレームのパターン情報が初期サブフレームオフセット量である場合、基地局とＵＥとの間で予め約定した固定周期でＳＴＲＳを送信することを含む。
【００１０】
サブフレームのパターン組合せは、ＳＴＲＳを積載したサブフレーム＃０と＃５の組合せ、ＳＴＲＳを積載したサブフレーム＃１と＃６の組合せ、ＳＴＲＳを積載したサブフレーム＃２と＃７の組合せ、ＳＴＲＳを積載したサブフレーム＃３と＃８の組合せ、ＳＴＲＳを積載したサブフレーム＃４と＃９の組合せの中の一つを含む。
【００１１】
時分割複信（Time-Division  Duplex、ＴＤＤと略称）モードで、新しいキャリアが使用したアップリンク・ダウンリンク配置を確定し、予定の規則に従って、予め設定した複数のサブフレームのパターン組合せからアップリンク・ダウンリンク配置でＳＴＲＳ伝送用のサブフレームのパターン組合せを確定する方式でサブフレームのパターン組合せを確定する。
【００１２】
上述の予定の規則は、アップリンク・ダウンリンク配置が０である場合、ＳＴＲＳを積載したサブフレーム組合せはサブフレーム＃０とサブフレーム＃５又はサブフレーム＃１とサブフレーム＃６であって、アップリンク・ダウンリンク配置が１である場合、ＳＴＲＳを積載したサブフレーム組合せはサブフレーム＃０とサブフレーム＃５、又はサブフレーム＃１とサブフレーム＃６、又はサブフレーム＃４とサブフレーム＃９であって、アップリンク・ダウンリンク配置が２である場合、ＳＴＲＳを積載したサブフレーム組合せはサブフレーム＃０とサブフレーム＃５、又はサブフレーム＃１とサブフレーム＃６、又はサブフレーム＃３とサブフレーム＃８、又はサブフレーム＃４とサブフレーム＃９、又はサブフレーム＃０、サブフレーム＃３、サブフレーム＃６とサブフレーム＃９であって、アップリンク・ダウンリンク配置が３である場合、ＳＴＲＳを積載したサブフレーム組合せはサブフレーム＃０とサブフレーム＃５、又はサブフレーム＃２とサブフレーム＃６であって、アップリンク・ダウンリンク配置が４である場合、ＳＴＲＳを積載したサブフレーム組合せはサブフレーム＃０とサブフレーム＃５、又はサブフレーム＃２とサブフレーム＃６、又はサブフレーム＃４とサブフレーム＃９であって、アップリンク・ダウンリンク配置が５である場合、ＳＴＲＳを積載したサブフレーム組合せはサブフレーム＃０とサブフレーム＃５、又はサブフレーム＃２とサブフレーム＃６、又はサブフレーム＃３とサブフレーム＃８、又はサブフレーム＃４とサブフレーム＃９であって、アップリンク・ダウンリンク配置が６である場合、ＳＴＲＳを積載したサブフレーム組合せはサブフレーム＃０とサブフレーム＃５、又はサブフレーム＃２とサブフレーム＃６である。
【００１３】
上記固定周期が１０ｍｓである場合、配置されたサブフレームのパターン情報をユーザ機器ＵＥに送信するステップが、上記サブフレーム識別子をＵＥに送信することを含む。
【００１４】
上記初期サブフレームオフセット量が、無線フレームにおけるＳＴＲＳ積載用の初期サブフレームの番号、無線フレームにおける一番目のサブフレームから後ろへ予定の数のサブフレームの間隔をあけたオフセット量の中の一つの形態である。
【００１５】
上記初期サブフレームオフセット量の値は、０、１、２、３、４であって、又はその値の集合が、０、１、２、３、４からなる組合せの中の一つ又は複数の組合せの値の集合である。
【００１６】
ＴＤＤモードで、新しいキャリアのアップリンク・ダウンリンク配置を用いてその値の範囲又はその値の集合を確定し、
アップリンク・ダウンリンク配置が０である場合、その値の範囲は０、１であって、又はその値の集合が０、１からなる組合せの中の一つ又は複数の組合せの集合であって、
アップリンク・ダウンリンク配置が１である場合、その値の範囲は０、１、４であって、又はその値の集合は０、１、４からなる組み合わせの中の一つ又は複数の組合せの集合であって、
アップリンク・ダウンリンク配置が２である場合、その値の範囲は０、１、３、４であって、又はその値の集合は０、１、３、４の中の一つ又は複数の組合せの集合であって、
アップリンク・ダウンリンク配置が３である場合、その値の範囲は０、１であって、又はその値の集合は０、１の中の一つ又は複数の組合せの集合であって、
アップリンク・ダウンリンク配置が４である場合、その値の範囲は０、１、４であって、又はその値の集合は０、１、４の中の一つ又は複数の組合せの集合であって、
アップリンク・ダウンリンク配置が５である場合、その値の範囲は０、１、３、４であって、又はその値の集合は０、１、３、４の中の一つ又は複数の組合せの集合であって、
アップリンク・ダウンリンク配置が６である場合、その値の範囲は０、１であって、又はその値の集合は０、１の中の一つ又は複数の組合せの集合であって、
ここで、０、１、３、４はそれぞれ、無線フレームにおける一番目、二番目、四番目、五番目のサブフレームを表し、対応するサブフレーム番号は＃０、＃１、＃３と＃４であって、
上記初期サブフレームオフセット量の値は、サブフレーム番号の固定周期に対する残りに等しく、ここで、固定周期は基地局とＵＥが予め約定したＳＴＲＳの送信に用いられる固定周期である。
【００１７】
サブフレームのパターン組合せをインデックス番号で示す場合、基地局が配置されたサブフレームのパターン情報をＵＥに送信するステップが、基地局がインデックス番号をＵＥに送信することを含む。
【００１８】
基地局が取得したサブフレームのパターン情報をＵＥに送信した後、ＵＥがサブフレームのパターン情報が空白であると確定した場合、ＵＥは新しいキャリアでメイン同期信号ＰＳＳとＳＳＳを送信していないと判定し、ＵＥが新しいキャリアが互換性キャリアと時間及び周波数で同期であると確定し、また、ＵＥがサブフレームのパターン情報が空白ではないと確定した場合、ＵＥは新しいキャリアでＰＳＳ/ＳＳＳを送信したと判定し、ＵＥが新しいキャリアでＰＳＳ/ＳＳＳを受信し、新しいキャリアとの同期操作を実行するステップを更に含む。
【００１９】
基地局が新しいキャリアとペアをなす互換性キャリアを介して、所定のシグナリングをＵＥに送信するステップが、基地局が新しいキャリアとペアをなす互換性キャリアを介して、所定の命令を携帯したRRCConnectionReconfigurationメッセージ又はmeasConfigメッセージをＵＥに送信することを含む。
【００２０】
基地局が、取得したサブフレームのパターン情報をＵＥに送信する前、同一の新しいキャリアの無線フレームに同一のサブフレームのパターン情報を配置するステップを更に含む。
【００２１】
基地局が同期追跡参照信号ＳＴＲＳの無線フレームにおけるサブフレームのパターン情報を取得する前、隣接セルにＳＴＲＳを配置する場合、互いに隣接するセルにおける各セルに異なるサブフレームのパターン情報を配置するステップを更に含む。
【００２２】
本発明の他の実施例によると、基地局に位置する同期追跡参照信号のパラメーターの送信処理装置であって、新しいキャリアに同期追跡参照信号（ＳＴＲＳ）用の、無線フレームにおけるＳＴＲＳ送信用のサブフレームを記述するためのサブフレームのパターン情報を配置する配置モジュールと、配置されたサブフレームのパターン情報をユーザ機器（ＵＥ）に送信する送信モジュールと、を含む同期追跡参照信号のパラメーターの送信処理装置を提供する。
【００２３】
上記送信モジュールは、新しいキャリアとペアをなす互換性キャリアを介して、サブフレームのパターン情報を携帯した所定のシグナリングをＵＥに送信する。
【００２４】
上記サブフレームのパターン情報は、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む。
【００２５】
上記サブフレームのパターン組合せは、ＳＴＲＳを積載したサブフレーム＃０と＃５の組合せ、ＳＴＲＳを積載したサブフレーム＃１と＃６の組合せ、ＳＴＲＳを積載したサブフレーム＃２と＃７の組合せ、ＳＴＲＳを積載したサブフレーム＃３と＃８の組合せ、ＳＴＲＳを積載したサブフレーム＃４と＃９の組合せの中の一つである。
【００２６】
上記配置モジュールは、時分割複信ＴＤＤモードで、新しいキャリアが使用するアップリンク・ダウンリンク配置を確定し、予定の規則に従って、予め設定した複数のサブフレームのパターン組合せからアップリンク・ダウンリンク配置でＳＴＲＳ伝送用のサブフレームのパターン組合せを確定する方式でサブフレームのパターン情報を確定する。
【００２７】
上記初期サブフレームオフセット量は、無線フレームにおけるＳＴＲＳ積載用の初期サブフレームの番号、無線フレームにおける一番目のサブフレームから後ろへ所定の数のサブフレームの間隔をあけたオフセット量の中の一つの形態である。
【００２８】
上記初期サブフレームオフセット量のその値の範囲は０、１、２、３、４であって、又はその値の集合は０、１、２、３、４からなる組合せの中の一つ又は複数の組合せの値の集合である。
【００２９】
本発明の他の実施例によると、ＵＥが第１のキャリアでサブフレームのパターン情報を受信し、前記サブフレームのパターン情報に基づいて第２のキャリアにおける同期追跡参照信号ＳＴＲＳの送信サブフレームを確定するステップを含み、ここで、前記サブフレームのパターン情報は無線フレームにおけるＳＴＲＳ送信用のサブフレームを記述するものであって、前記第１のキャリアと前記第２のキャリアは同じであるか又は異なる同期追跡参照信号の受信処理方法を提供する。
【００３０】
上記第１のキャリアと第２のキャリアが異なる場合、上記第１のキャリアが上記第２のキャリアとペアをなすキャリアであって、ここで、上記第１のキャリアが後方互換性のあるキャリアで、上記第２のキャリアが新しいキャリアである。
【００３１】
上記サブフレームのパターン情報が、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む。
【００３２】
上記ＵＥがサブフレームのパターン情報を受信する場合、上記サブフレームのパターン情報が上記初期サブフレームオフセット量である場合、上記ＵＥと上記基地局との間で予め約定した固定周期でＳＴＲＳを送信することを含む。
【００３３】
上記サブフレームのパターン組合せは、サブフレーム＃０と＃５の組合せ、＃１と＃６の組合せ、サブフレーム＃２と＃７の組合せ、サブフレーム＃３と＃８の組合せ、サブフレーム＃４と＃９の組合せの中の一つのＳＴＲＳを積載したサブフレーム組合せを含む。
【００３４】
時分割複信ＴＤＤモードで、上記第２のキャリアが使用したアップリンク・ダウンリンク配置を確定し、予定の規則に従って、予め設定した複数のサブフレームのパターン組合せから上記アップリンク・ダウンリンク配置でＳＴＲＳ伝送用の上記サブフレームのパターン組合せを確定する方式で上記サブフレームのパターン組合せを確定する。
【００３５】
上記予定の規則は、上記アップリンク・ダウンリンク配置が０である場合、上記ＳＴＲＳを積載したサブフレーム組合せはサブフレーム＃０とサブフレーム＃５、又はサブフレーム＃１とサブフレーム＃６を含み、上記アップリンク・ダウンリンク配置が１である場合、上記ＳＴＲＳを積載したサブフレーム組合せはサブフレーム＃０とサブフレーム＃５、サブフレーム＃１とサブフレーム＃６、サブフレーム＃４とサブフレーム＃９の中の一つを含み、上記アップリンク・ダウンリンク配置が２である場合、上記ＳＴＲＳを積載したサブフレーム組合せはサブフレーム＃０とサブフレーム＃５、サブフレーム＃１とサブフレーム＃６、サブフレーム＃３とサブフレーム＃８、サブフレーム＃４とサブフレーム＃９、サブフレーム＃０、サブフレーム＃３、サブフレーム＃６、サブフレーム＃９の中の一つを含み、上記アップリンク・ダウンリンク配置が３である場合、上記ＳＴＲＳを積載したサブフレーム組合せはサブフレーム＃０とサブフレーム＃５、サブフレーム＃２とサブフレーム＃６の中の一つを含み、上記アップリンク・ダウンリンク配置が４である場合、上記ＳＴＲＳを積載したサブフレーム組合せはサブフレーム＃０とサブフレーム＃５、サブフレーム＃２とサブフレーム＃６、サブフレーム＃４とサブフレーム＃９の中の一つを含み、上記アップリンク・ダウンリンク配置が５である場合、上記ＳＴＲＳを積載したサブフレーム組合せはサブフレーム＃０とサブフレーム＃５、サブフレーム＃２とサブフレーム＃６、サブフレーム＃３とサブフレーム＃８、サブフレーム＃４とサブフレーム＃９の中の一つを含み、上記アップリンク・ダウンリンク配置が６である場合、上記ＳＴＲＳを積載したサブフレーム組合せはサブフレーム＃０とサブフレーム＃５、サブフレーム＃２とサブフレーム＃６の中の一つを含むことを含む。
【００３６】
上記固定周期が、２ｍｓ又は３ｍｓ又は５ｍｓであるか、又は２ｍｓと３ｍｓの間隔をあけて現れることが好ましい。
【００３７】
上記初期サブフレームオフセット量は、無線フレームにおけるＳＴＲＳ積載用の初期サブフレームの番号、無線フレームにおける一番目のサブフレームから後ろへ所定の数のサブフレームの間隔をあけたオフセット量の中の一つの形態である。
【００３８】
上記初期サブフレームオフセット量のその値の範囲は０、１、２、３、４であって、又はその値の集合は０、１、２、３、４からなる組合せの中の一つ又は複数の組合せの値の集合である。
【００３９】
ＴＤＤモードで、ＵＥが上記第２のキャリアのアップリンク・ダウンリンク配置を用いて上記値の範囲又はその値の集合を確定し、アップリンク・ダウンリンク配置が０である場合、その値の範囲は０、１であって、又はその値の集合は０、１からなる一つ又は複数の組合せの集合であって、アップリンク・ダウンリンク配置が１である場合、その値の範囲は０、１、４であって、又はその値の集合は０、１、４の中の一つ又は複数の組合せの集合であって、アップリンク・ダウンリンク配置が２である場合、その値の範囲は０、１、３、４であって、又はその値の集合は０、１、３、４の中の一つ又は複数の組合せの集合であって、アップリンク・ダウンリンク配置が３である場合、その値の範囲は０、１であって、又はその値の集合は０、１の中の一つ又は複数の組合せの集合であって、アップリンク・ダウンリンク配置が４である場合、その値の範囲は０、１、４であって、又はその値の集合は０、１、４の中の一つ又は複数の組合せの集合であって、アップリンク・ダウンリンク配置が５である場合、その値の範囲は０、１、３、４であって、又はその値の集合は０、１、３、４の中の一つ又は複数の組合せの集合であって、アップリンク・ダウンリンク配置が６である場合、その値の範囲は０、１であって、又はその値の集合は０、１の中の一つ又は複数の組合せの集合であって、ここで、０、１、３、４はそれぞれ無線フレームにおける一番目、二番目、四番目、五番目のサブフレームを示し、対応するサブフレーム番号は＃０、＃１、＃３と＃４であって、
上記初期サブフレームオフセット量の値は、サブフレーム番号の上記固定周期に対する残りに等しく、ここで、上記固定周期は上記基地局と上記ＵＥが予め約定したＳＴＲＳの送信に用いられる固定周期である。
【００４０】
上記ＵＥが上記サブフレームのパターン情報を受信した後、上記ＵＥが上記サブフレームのパターン情報が空白である確定した場合、ＵＥは上記第２のキャリアでメイン同期信号ＰＳＳとサブ同期信号ＳＳＳを送信していないと判定し、ＵＥは上記第２のキャリアが上記互換性キャリアと時間及び周波数で同期していると確定し、また、上記ＵＥが上記サブフレームのパターン情報が空白ではないと確定した場合、上記ＵＥは上記第２のキャリアで上記ＰＳＳとＳＳＳを送信したと判定し、上記ＵＥは第２のキャリアで上記ＰＳＳとＳＳＳを受信し、上記第２のキャリアとの同期操作を行うステップを更に含む。
【００４１】
本発明の他の実施例によると、ＵＥに位置する同期追跡参照信号の受信処理装置であって、第１のキャリアで無線フレームにおける同期追跡参照信号ＳＴＲＳ送信用のサブフレームサブフレームを記述するためのパターン情報を受信する受信モジュールと、上記サブフレームのパターン情報に基づいて、第２のキャリア中のＳＴＲＳ送信用のサブフレームを確定する確定モジュールと、を含み、ここで、上記第１のキャリアと上記第２のキャリアが同じであるか又は異なる同期追跡参照信号の受信処理装置を提供する。
【００４２】
上記確定モジュールは、上記第１のキャリアが上記第２のキャリアとペアをなすキャリアである場合、上記第２のキャリア中のＳＴＲＳ送信用のサブフレームを確定し、ここで、上記第１のキャリアが後方互換性のあるキャリアで、上記第２のキャリアが新しいキャリアである。
【００４３】
上記受信モジュールは、上記サブフレームのパターン情報が、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つである場合、上記サブフレームのパターン情報を受信する。
【発明の効果】
【００４４】
本発明によると、基地局が無線フレームにおけるＳＴＲＳ送信用のサブフレームを記述するためのサブフレームのパターン情報を配置してＵＥに送信することで、関連技術においてＳＴＲＳを如何に送信するかの技術案が開示されていないのでＳＴＲＳの新しいキャリアでの送信を実現できない等の技術問題を解決し、新しいキャリアでのＳＴＲＳの送信を実現することができる。
【図面の簡単な説明】
【００４５】
ここで説明する図面は本発明を理解させるためのもので、本発明の一部を構成し、本発明における実施例と共に本発明を解釈し、本発明を不当に限定するのではない。
【００４６】
【図１】図１は、本願の実施例に係わる同期追跡参照信号の送信処理方法を示すフローチャートである。
【図２】図２は、本願の実施例に係わる同期追跡参照信号の送信処理装置の構造を示すブロック図である。
【図３】図３は、本願の実施例に係わるＬＴＥ標準における無線フレームとサブフレームを示す図である。
【発明を実施するための形態】
【００４７】
以下、図面を参照しつつ実施例を結合して本発明を詳しく説明する。ここで、衝突しない限り、本願に記載の実施例及び実施例に記載の特徴を互いに組み合わせることができる。
図１は、本願の実施例に係わる同期追跡参照信号の送信処理方法を示すフローチャートである。図１に示すように、以下ステップを含む。
基地局が、新しいキャリアにＳＴＲＳのサブフレームのパターン情報を配置し（ステップＳ１０２）、ここで、当該サブフレームのパターン情報は無線フレームにおけるＳＴＲＳ送信用のサブフレームを記述するためのものである。
基地局は、配置したサブフレームのパターン情報をＵＥに送信する（ステップＳ１０４）。
【００４８】
上記処理ステップによると、基地局が配置したＳＴＲＳの送信に用いられるサブフレームを記述するためのサブフレームのパターン情報をＵＥに送信し、このような処理によって、新しいキャリアでＳＴＲＳ信号を送信することができる。
【００４９】
ステップＳ１０４において、基地局が配置したサブフレームのパターン情報をＵＥに送信する形態はさまざまであるが、例えば、自己定義式メッセージで送信することができ、本発明の一好適な実施形態において、基地局は新しいキャリアとペアをなす互換性キャリアを用いて所定のシグナリングをＵＥに送信することができ、ここで、前記所定のシグナリングは前記サブフレームのパターン情報を携帯し、即ち、命令シグナリングを介してサブフレームのパターン情報をＵＥに送信する。
【００５０】
上記サブフレームのパターン情報は、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含むが、これに限定されることはない。
【００５１】
基地局が配置したサブフレームのパターン情報をＵＥに送信する場合、及びサブフレームのパターン情報が上記初期サブフレームオフセット量である場合、基地局とＵＥとの間で予め約定した固定周期でＳＴＲＳを送信する。固定周期でＳＴＲＳを送信することで、基地局とＵＥとの間のシグナリングの交換を減少し、シグナリングのオーバーヘッドを節約できる。
【００５２】
ＴＤＤモードであれ周波数分割複信（FreqＵＥncy  Division  Duplex、ＦＤＤと略称）モードであれ、サブフレームのパターンの組合せは、ＳＴＲＳを積載したサブフレーム＃０と＃５の組合せ、ＳＴＲＳを積載したサブフレーム＃１と＃６の組合せ、ＳＴＲＳを積載したサブフレーム＃２と＃７の組合せ、ＳＴＲＳを積載したサブフレーム＃３と＃８の組合せ、ＳＴＲＳを積載したサブフレーム＃４と＃９の組合せであることができる。ここで、ＦＤＤモードである場合、この時の固定周期は５ｍｓであることができる。
【００５３】
ＴＤＤモードで、サブフレームのパターンの組合せの方式はさまざまであるが、例えば、アップリンク・ダウンリンク配置に基づいて確定することができる。この場合、新しいキャリアが使用したアップリンク・ダウンリンク配置を確定し、予定の規則に従って、予め設定した複数のサブフレームのパターンの組合せからアップリンク・ダウンリンク配置でＳＴＲＳ伝送用のサブフレームのパターンの組合せを確定することができる。
【００５４】
上記ＴＤＤモードにおいて、上記予定の規則は以下の形態であることができる：
アップリンク・ダウンリンク配置が０である場合、ＳＴＲＳを積載したサブフレーム組合せはサブフレーム＃０とサブフレーム＃５、又はサブフレーム＃１とサブフレーム＃６であって、
アップリンク・ダウンリンク配置が１である場合、ＳＴＲＳを積載したサブフレーム組合せはサブフレーム＃０とサブフレーム＃５、又はサブフレーム＃１とサブフレーム＃６、又はサブフレーム＃４とサブフレーム＃９であって、
アップリンク・ダウンリンク配置が２である場合、ＳＴＲＳを積載したサブフレーム組合せはサブフレーム＃０とサブフレーム＃５、又はサブフレーム＃１とサブフレーム＃６、又はサブフレーム＃３とサブフレーム＃８、又はサブフレーム＃４とサブフレーム＃９、又はサブフレーム＃０、サブフレーム＃３、サブフレーム＃６、サブフレーム＃９であって、
アップリンク・ダウンリンク配置が３である場合、ＳＴＲＳを積載したサブフレーム組合せはサブフレーム＃０とサブフレーム＃５、又はサブフレーム＃２とサブフレーム＃６であって、
アップリンク・ダウンリンク配置が４である場合、ＳＴＲＳを積載したサブフレーム組合せはサブフレーム＃０とサブフレーム＃５、又はサブフレーム＃２とサブフレーム＃６、又はサブフレーム＃４とサブフレーム＃９であって、
アップリンク・ダウンリンク配置が５である場合、ＳＴＲＳを積載したサブフレーム組合せはサブフレーム＃０とサブフレーム＃５、又はサブフレーム＃２とサブフレーム＃６、又はサブフレーム＃３とサブフレーム＃８、又はサブフレーム＃４とサブフレーム＃９であって、
アップリンク・ダウンリンク配置が６である場合、ＳＴＲＳを積載したサブフレーム組合せがサブフレーム＃０とサブフレーム＃５、又はサブフレーム＃２とサブフレーム＃６である。
【００５５】
上記約定した固定周期が１０ｍｓである場合、上記サブフレーム識別子をＵＥに送信する方式で、配置されたサブフレームのパターン情報をＵＥに送信する。
【００５６】
上記初期サブフレームオフセット量は、無線フレームにおけるＳＴＲＳ積載用の初期サブフレームの番号、無線フレームにおける一番目のサブフレームから後ろへ所定の数のサブフレームの間隔をあけたオフセット量の中の一つを含む。
【００５７】
上記初期サブフレームオフセット量の値の範囲は、０、１、２、３、４であって、又はその値の集合は０、１、２、３、４からなる組合せの中の一つ又は複数の組合せの値の集合である。
【００５８】
ＴＤＤモードで、以下の方式で新しいキャリアのアップリンク・ダウンリンク配置を用いて前記値の範囲又はその値の集合を確定する：
アップリンク・ダウンリンク配置が０である場合、その値の範囲は０、１であって、又はその値の集合は０、１からなる組合せの中の一つ又は複数の組合せの集合であって、例えば、集合は{０}、{１}、又は{０、１}であって、
アップリンク・ダウンリンク配置が１である場合、その値の範囲は０、１、４であって、又はその値の集合は０、１、４の中の一つ又は複数の組合せの集合であって、
アップリンク・ダウンリンク配置が２である場合、その値の範囲は０、１、３、４であって、又はその値の集合は０、１、３、４の中の一つ又は複数の組合せの集合であって、
アップリンク・ダウンリンク配置が３である場合、その値の範囲は０、１であって、又はその値の集合は０、１の中の一つ又は複数の組合せの集合であって、
アップリンク・ダウンリンク配置が４である場合、その値の範囲は０、１、４であって、又はその値の集合は０、１、４の中の一つ又は複数の組合せの集合であって、
アップリンク・ダウンリンク配置が５である場合、その値の範囲は０、１、３、４であって、又はその値の集合は、１、３、４の中の一つ又は複数の組合せの集合であって、
アップリンク・ダウンリンク配置が６である場合、その値の範囲は０、１であって、又はその値の集合は０、１の中の一つ又は複数の組合せの集合であって、
ここで、０、１、３、４はそれぞれ無線フレームにおける一番目、二番目、四番目、五番目のサブフレームを示し、対応するサブフレーム番号は＃０、＃１、＃３と＃４であって、
上記初期サブフレームオフセット量の値は以下の方式で確定する：初期サブフレームオフセット量の値はサブフレーム番号の固定周期に対する残りに等しく、ここで、固定周期は基地局とＵＥが予め約定したＳＴＲＳの送信に用いられる固定周期である。
【００５９】
サブフレームのパターン組合せをインデックス番号で示す場合、上記インデックス番号をＵＥに送信する方式で、基地局が配置したサブフレームのパターン情報をＵＥに送信するステップを実現する。
【００６０】
関連技術において、新しいキャリアが同期の新しいキャリアであるかそれとも非同期の新しいキャリアであるかに関わらず、基地局側による送信は、新しいキャリアとペアをなす互換性キャリアと同時に送信され、同期である（標準プロジェクトに規定の誤差内で、同期と認められる）と認めるが、新しいキャリアとペアをなす互換性キャリアをエアインターフィースを介して伝送した後、キャリアの周波数区間が異なり、障害避け能力及びＵＥの移動速度及び方向により、最終的に、基地局から同時に送信された二つのキャリアがＵＥに到着する際には二つのキャリアが時間的に同期されていなく、周波数の偏差も異なることになる。しかし、ＵＥ側で新しいキャリアを最初に測定する場合、ＵＥ側は新しいキャリアとペアをなす互換性キャリアとが同期であるか否かを把握できない（基地局側では同期であるが、ＵＥ側に到着した時に同期しないこともあるから）ので、ＵＥ側は自分が新しいキャリアと同期しているか否かも把握できなく、測定対象である新しいキャリアでＰＳＳ/ＳＳＳを送信したか否かも把握できないので、ＵＥの場合、さまざまな実行可能なプロセスを介して、新しいキャリアと同期しているか否か、新しいキャリアにＰＳＳ/ＳＳＳ又はＳＴＲＳを配置したか否かを測定しなければならなく、これによりＵＥ側の処理は複雑になる。ＵＥ側による新しいキャリアの配置の測定の盲目性が増加される。
【００６１】
上記盲目性の問題を解決するため、基地局が取得した前記サブフレームのパターン情報をＵＥに送信した後、以下のステップを更に行うことができる。
ＵＥがサブフレームのパターン情報が空白であると確定した場合、ＵＥは新しいキャリアでメイン同期信号ＰＳＳとＳＳＳを送信していないと判定し、ＵＥが新しいキャリアと互換性キャリアが時間及び周波数で同期していると確定し、また、ＵＥがサブフレームのパターン情報が空白ではないと確定した場合、ＵＥは新しいキャリアでＰＳＳ/ＳＳＳを送信したと確定し、ＵＥは新しいキャリアでＰＳＳ/ＳＳＳを受信し、新しいキャリアとの間で同期操作を実行する。
【００６２】
基地局が前記新しいキャリアとペアをなす互換性キャリアを介して上記所定のシグナリングをＵＥに送信する方式はさまざまであるが、例えば、以下の方式を利用することができる：基地局が新しいキャリアとペアをなす互換性キャリアを介して、RRCConnectionReconfigurationメッセージ又はmeasConfigメッセージをＵＥに送信することができ、ここで、RRCConnectionReconfigurationメッセージ又はmeasConfigメッセージに上記所定の命令を携帯する。
【００６３】
サブフレームのパターンを送信するメッセージのオーバーヘッドを低減するため、基地局は、取得したサブフレームのパターン情報をＵＥに送信する前、同一の新しいキャリアの無線フレームに同一のサブフレームのパターン情報を配置することができる。
【００６４】
現在、ＬＴＥ  Ｒ１１に導入されたＳＴＲＳの場合、隣接セル間で大きい干渉が発生し、当該干渉がＬＴＥ  Ｒ８  ＣＲＳに比べ、ＳＴＲＳを積載したサブフレームのみで発生するが、当該干渉の導入によって縁部の効率の向上に影響を与えている。また、ＳＴＲＳをデータの復調に利用することができないと規定しているので、ＳＴＲＳのデメリットとメリットの比例が低下し、ＳＴＲＳは処理すべき問題となった。隣接セルの縁部のＳＴＲＳにより干渉を防止するため、基地局が同期追跡参照信号ＳＴＲＳの無線フレームにおけるサブフレームのパターン情報を取得する前に、隣接セルにＳＴＲＳを配置する場合、互いに隣接するセル中の各セルに異なるサブフレームのパターン情報を配置する。これにより、隣接するセル間のＳＴＲＳを積載したサブフレームが異なり、上記干渉問題を解決することができる。
【００６５】
本実施例において、同期追跡参照信号のパラメーターの送信処理装置を提供し、当該装置は基地局に位置し、上記実施例及び好適な実施形態を実現し、既に説明した部分の説明は省略し、以下、当該装置におけるモジュールを説明する。以下に記載の用語「モジュール」は所定の機能を実現できるソフトウェア及び/又はハードウェアの組合せである。以下の実施例に記載の装置をソフトウェアで実現することが好ましいが、ハードウェア又はソフトウェアとハードウェアの組合せで実現することもできる。図２は、本願の実施例に係わる同期追跡参照信号の送信処理装置の構造を示すブロック図である。図２に示すようにより、当該装置は、
送信モジュール２２に接続されて、新しいキャリアにＳＴＲＳ用のサブフレームのパターン情報を配置する配置モジュール２０と、ここで、サブフレームのパターン情報は無線フレームにおけるＳＴＲＳ送信用のサブフレームを記述するためのものであって、
配置されたサブフレームのパターン情報をＵＥに送信する送信モジュール２２と、を含む。
【００６６】
同期追跡参照信号のパラメーターの送信処理装置における上記処理モジュールによると、配置モジュール２０が新しいキャリアにＳＴＲＳ用のサブフレームのパターン情報を配置し、その後、送信モジュール２２で上記サブフレームのパターン情報をＵＥに送信するので、新しいキャリアでのＳＴＲＳ信号の送信を実現することができる。
【００６７】
上記送信モジュール２２が、さらに、新しいキャリアとペアをなす互換性キャリアを介して所定のシグナリングをＵＥに送信することが好ましく、ここで、所定のシグナリングは前記サブフレームのパターン情報を携帯する。
【００６８】
上記方法実施例と類似に、上記サブフレームのパターン情報は、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む。
【００６９】
上記サブフレームのパターン組合せは、ＳＴＲＳを積載したサブフレーム＃０と＃５の組合せ、ＳＴＲＳを積載したサブフレーム＃１と＃６の組合せ、ＳＴＲＳを積載したサブフレーム＃２と＃７の組合せ、ＳＴＲＳを積載したサブフレーム＃３と＃８の組合せ、ＳＴＲＳを積載したサブフレーム＃４と＃９の組合せの中の一つを含む。
【００７０】
上記配置モジュール２０は、ＴＤＤモードで、前記新しいキャリアが使用したアップリンク・ダウンリンク配置を確定し、予定の規則に従って、予め設定した複数のサブフレームのパターン組合せから前記アップリンク・ダウンリンク配置でＳＴＲＳ伝送用の前記サブフレームのパターン組合せを確定する方式で前記サブフレームのパターン情報を確定する。
【００７１】
上記初期サブフレームオフセット量が、無線フレームにおけるＳＴＲＳ積載用の初期サブフレームの番号、無線フレームにおける一番目のサブフレームから後ろへ所定の数のサブフレームの間隔をあけたオフセット量の形態である。
【００７２】
上記初期サブフレームオフセット量の値の範囲は、０、１、２、３、４であって、又はその値の集合は０、１、２、３、４からなる組合せの中の一つ又は複数の組合せの値の集合である。
【００７３】
具体的な実施において、アップリンク・ダウンリンク配置に基づいて上記サブフレームオフセット量の値の範囲又はその値の集合を確定することができる。
アップリンク・ダウンリンク配置が０である場合、その値の範囲は０、１であって、又はその値の集合は０、１からなる組合せの中の一つ又は複数の組合せの集合であって、例えば、集合は{０}、{１}、又は{０、１}であって、
アップリンク・ダウンリンク配置が１である場合、その値の範囲は０、１、４であって、又はその値の集合は０、１、４の中の一つ又は複数の組合せの集合であって、
アップリンク・ダウンリンク配置が２である場合、その値の範囲は０、１、３、４であって、又はその値の集合は０、１、３、４の中の一つ又は複数の組合せの集合であって、
アップリンク・ダウンリンク配置が３である場合、その値の範囲は０、１であって、又はその値の集合は０、１の中の一つ又は複数の組合せの集合であって、
アップリンク・ダウンリンク配置が４である場合、その値の範囲は０、１、４であって、又はその値の集合は０、１、４の中の一つ又は複数の組合せの集合であって、
アップリンク・ダウンリンク配置が５である場合、その値の範囲は０、１、３、４であって、又はその値の集合は０、１、３、４の中の一つ又は複数の組合せの集合であって、
アップリンク・ダウンリンク配置が６である場合、その値の範囲は０、１であって、又はその値の集合は０、１の中の一つ又は複数の組合せの集合であって、
ここで、０、１、３、４はそれぞれ無線フレームにおける一番目、二番目、四番目、五番目のサブフレームを示し、対応するサブフレーム番号は＃０、＃１、＃３と＃４であって、
基地局とＵＥは各種のアップリンク・ダウンリンク配置に対応する値の範囲又は集合を約定し、その後、パラメーターの値をとり、基地局とＵＥは先ずアップリンク・ダウンリンク配置を確定した後、パラメーターの値に基づいてＳＴＲＳを積載したサブフレームを確定する。
【００７４】
初期サブフレームオフセット量の値がサブフレーム番号の固定周期に対する残りに等しい方式で上記初期サブフレームオフセット量の値を確定することができ、ここで、固定周期は基地局とＵＥが予め約定したＳＴＲＳの送信に用いられる固定周期である。
【００７５】
基地局とＵＥが予め約定したサブフレームのパターンの組合せでＳＴＲＳを積載したサブフレームを記述する方式の場合、ＴＤＤの異なるアップリンク・ダウンリンク配置に対する各種の配置に対し、大量の模擬評価を経て、以下のような好適なサブフレームのパターンを提供する。
アップリンク・ダウンリンク配置が０である場合、ＳＴＲＳを積載したサブフレーム組合せはサブフレーム＃０と＃５、又は＃１と＃６であって、
アップリンク・ダウンリンク配置が１である場合、ＳＴＲＳを積載したサブフレーム組合せはサブフレーム＃０と＃５、又は＃１と＃６、又は＃４と＃９であって、
アップリンク・ダウンリンク配置が２である場合、ＳＴＲＳを積載したサブフレーム組合せはサブフレーム＃０と＃５、又は＃１と＃６、又は＃３と＃８、又は＃４と＃９、又は＃０、＃３、＃６と＃９であって、
アップリンク・ダウンリンク配置が３である場合、ＳＴＲＳを積載したサブフレーム組合せは＃０と＃５、又は＃２と＃６であって、
アップリンク・ダウンリンク配置が４である場合、ＳＴＲＳを積載したサブフレーム組合せは＃０と＃５、又は＃２と＃６、又は＃４と＃９であって、
アップリンク・ダウンリンク配置が５である場合、ＳＴＲＳを積載したサブフレーム組合せは＃０と＃５、又は＃２と＃６、又は＃３と＃８、又は＃４と＃９であって、
アップリンク・ダウンリンク配置が６である場合、ＳＴＲＳを積載したサブフレーム組合せは＃０と＃５、又は＃２と＃６である。
【００７６】
基地局とＵＥは各種のアップリンク・ダウンリンク配置での各種のサブフレームのパターンの組合せに番号付けし、番号を通知する方式でＵＥにＳＴＲＳを積載したサブフレームを通知する。基地局とＵＥが先ずアップリンク・ダウンリンク配置を確定した後、番号に応じて対応するサブフレームのパターン組合せを確定する。
【００７７】
本実施例によると、同期追跡参照信号の受信処理方法を提供し、ＵＥが第１のキャリアでサブフレームのパターン情報を受信し、前記サブフレームのパターン情報に基づいて、第２のキャリアでの同期追跡参照信号ＳＴＲＳ送信用のサブフレームを確定するステップを含み、ここで、前記サブフレームのパターン情報は無線フレームにおけるＳＴＲＳ送信用のサブフレームを記述するためのもので、前記第１のキャリアと前記第２のキャリアは同じであるか又は異なる。
【００７８】
上記第１のキャリアと第２のキャリアが異なる場合、上記第１のキャリアは上記第２のキャリアとペアをなすキャリアであって、ここで、上記第１のキャリアは後方互換性のあるキャリアで、上記第２のキャリアは新しいキャリアである。
【００７９】
上記サブフレームのパターン情報は、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む。
【００８０】
上記ＵＥがサブフレームのパターン情報を受信するステップが、上記サブフレームのパターン情報が上記初期サブフレームオフセット量である場合、上記ＵＥと上記基地局との間で予め約定した固定周期でＳＴＲＳを送信することを含む。
【００８１】
上記サブフレームのパターン組合せは、ＳＴＲＳを積載したサブフレーム組合せの中のサブフレーム＃０と＃５の組合せ、＃１と＃６の組合せ、サブフレーム＃２と＃７の組合せ、サブフレーム＃３と＃８の組合せ、サブフレーム＃４と＃９の組合せの中の一つを含む。
【００８２】
時分割複信ＴＤＤモードで、上記第２のキャリアが使用したアップリンク・ダウンリンク配置を確定し、予定の規則に従って、予め設定した複数のサブフレームのパターン組合せから上記アップリンク・ダウンリンク配置でＳＴＲＳ伝送用の上記サブフレームのパターン組合せを確定する方式で、上記サブフレームのパターン組合せを確定する。
【００８３】
上記予定の規則は、上記アップリンク・ダウンリンク配置が０である場合、上記ＳＴＲＳを積載したサブフレーム組合せがサブフレーム＃０とサブフレーム＃５、又はサブフレーム＃１とサブフレーム＃６を含み、上記アップリンク・ダウンリンク配置が１である場合、上記ＳＴＲＳを積載したサブフレーム組合せがサブフレーム＃０とサブフレーム＃５、サブフレーム＃１とサブフレーム＃６、サブフレーム＃４とサブフレーム＃９の中の一つを含み、上記アップリンク・ダウンリンク配置が２である場合、上記ＳＴＲＳを積載したサブフレーム組合せがサブフレーム＃０とサブフレーム＃５、サブフレーム＃１とサブフレーム＃６、サブフレーム＃３とサブフレーム＃８、サブフレーム＃４とサブフレーム＃９、サブフレーム＃０、サブフレーム＃３、サブフレーム＃６、サブフレーム＃９の中の一つを含み、上記アップリンク・ダウンリンク配置が３である場合、上記ＳＴＲＳを積載したサブフレーム組合せがサブフレーム＃０とサブフレーム＃５、サブフレーム＃２とサブフレーム＃６の中の一つを含み、上記アップリンク・ダウンリンク配置が４である場合、上記ＳＴＲＳを積載したサブフレーム組合せがサブフレーム＃０とサブフレーム＃５、サブフレーム＃２とサブフレーム＃６、サブフレーム＃４とサブフレーム＃９の中の一つを含み、上記アップリンク・ダウンリンク配置が５である場合、上記ＳＴＲＳを積載したサブフレーム組合せがサブフレーム＃０とサブフレーム＃５、サブフレーム＃２とサブフレーム＃６、サブフレーム＃３とサブフレーム＃８、サブフレーム＃４とサブフレーム＃９の中の一つを含み、上記アップリンク・ダウンリンク配置が６である場合、上記ＳＴＲＳを積載したサブフレーム組合せがサブフレーム＃０とサブフレーム＃５、サブフレーム＃２とサブフレーム＃６の中の一つを含むことを含む。
【００８４】
上記固定周期が２ｍｓ又は３ｍｓ又は５ｍｓを含み、又は２ｍｓと３ｍｓの間隔で現れることが好ましい。
【００８５】
上記初期サブフレームオフセット量は、無線フレームにおけるＳＴＲＳ積載用の初期サブフレームの番号、無線フレームにおける一番目のサブフレームから後ろへ所定の数のサブフレームの間隔をあけたオフセット量の形態である。
【００８６】
上記初期サブフレームオフセット量の値の範囲は０、１、２、３、４であって、又はその値の集合は０、１、２、３、４からなる組合せの中の一つ又は複数の組合せの値の集合である。
【００８７】
ＴＤＤモードで、ＵＥが上記第２のキャリアのアップリンク・ダウンリンク配置を用いて上記値の範囲又はその値の集合を確定し、アップリンク・ダウンリンク配置が０である場合、その値の範囲は０、１であって、又はその値の集合は０、１からなる一つ又は複数の組合せの集合であって、アップリンク・ダウンリンク配置が１である場合、その値の範囲は０、１、４であって、又はその値の集合は０、１、４の中の一つ又は複数の組合せの集合であって、アップリンク・ダウンリンク配置が２である場合、その値の範囲は０、１、３、４であって、又はその値の集合は０、１、３、４の中の一つ又は複数の組合せの集合であって、アップリンク・ダウンリンク配置が３である場合、その値の範囲は０、１であって、又はその値の集合は０、１の中の一つ又は複数の組合せの集合であって、アップリンク・ダウンリンク配置が４である場合、その値の範囲は０、１、４であって、又はその値の集合は０、１、４の中の一つ又は複数の組合せの集合であって、アップリンク・ダウンリンク配置が５である場合、その値の範囲は０、１、３、４であって、又はその値の集合は０、１、３、４の中の一つ又は複数の組合せの集合であって、アップリンク・ダウンリンク配置が６である場合、その値の範囲は０、１であって、又はその値の集合は０、１の中の一つ又は複数の組合せの集合であって、ここで、０、１、３、４はそれぞれ無線フレームにおける一番目、二番目、四番目、五番目のサブフレームを示し、対応するサブフレーム番号は＃０、＃１、＃３、＃４であって、
上記初期サブフレームオフセット量の値はサブフレーム番号の上記固定周期に対する残りに等しく、ここで、上記固定周期は上記基地局と上記ＵＥが予め約定したＳＴＲＳの送信に用いられる固定周期である。
【００８８】
上記ＵＥが上記サブフレームのパターン情報を受信した後、上記ＵＥが上記サブフレームのパターン情報が空白であると確定した場合、ＵＥは上記第２のキャリアでメイン同期信号ＰＳＳとサブ同期信号ＳＳＳを送信していないと判定し、ＵＥは上記第２のキャリアと上記互換性キャリアが時間及び周波数で同期していると確定し、また、上記ＵＥが上記サブフレームのパターン情報が空白ではないと確定した場合、上記ＵＥは上記第２のキャリアで上記ＰＳＳとＳＳＳを送信したと判定し、上記ＵＥは第２のキャリアで上記ＰＳＳとＳＳＳを受信し、上記第２のキャリアとの間の同期操作を実行するステップを更に含む。
【００８９】
本実施例によると、ＵＥに位置する同期追跡参照信号の受信処理装置を提供し、第１のキャリアでサブフレームのパターン情報を受信する受信モジュールと、ここで、上記サブフレームのパターン情報は無線フレームにおける同期追跡参照信号ＳＴＲＳ送信用のサブフレームを記述するためのものであって、上記サブフレームのパターン情報に基づいて第２のキャリア中のＳＴＲＳ送信用のサブフレームを確定する確定モジュールとを含み、ここで、上記第１のキャリアと上記第２のキャリアは同じであるか又は異なる。
【００９０】
上記確定モジュールは、上記第１のキャリアが上記第２のキャリアとペアをなすキャリアである場合、上記第２のキャリア中のＳＴＲＳ送信用のサブフレームを確定し、ここで、上記第１のキャリアは後方互換性のあるキャリアで、上記第２のキャリアは新しいキャリアである。
【００９１】
上記受信モジュールは、上記サブフレームのパターン情報が、ＳＴＲＳ送信用のサブフレームの無線フレームにおける初期サブフレームオフセット量、ＳＴＲＳ積載用のサブフレームのサブフレームのパターン組合せ、無線フレームにおけるＳＴＲＳ積載用のサブフレームに対応するサブフレーム識別子の中の一つを含む場合上記サブフレームのパターン情報を受信する。
【００９２】
上記実施例を一層理解させるため、以下、図面を参照して実施例１を詳しく説明する。実施例１において、同期追跡参照信号の送信処理方案を提供すると共に、キャリア（キャリアとセルは等価である）の隣接セルの縁部における干渉問題を解決し、ＵＥが新しいキャリア中のＰＳＳ/ＳＳＳとＳＴＲＳの配置状況を明確に把握するように支援する。
【実施例１】
【００９３】
本実施例によると、ＳＴＲＳの配置及びシグナリング方法を提供し、当該方法は新しいキャリアに用いられ、具体的に、基地局とＵＥがＳＴＲＳの送信に用いられる固定周期を約定し、例えば、２ｍｓ、３ｍｓ、５ｍｓ又は１０ｍｓ等に固定し、ここで、ＳＴＲＳの目的を考慮し、大量の模擬評価を経て、ＬＴＥシステムに対し５ｍｓに固定した方が最も理想的で、性能とオーバーヘッドの間の平衡を実現できることが分かった。固定周期に基づいて、基地局はさらに、シグナリングを介してＳＴＲＳの無線フレームにおけるサブフレームのパターンを配置し、前記シグナリングをＳＴＲＳを積載したキャリアとペアをなすキャリアを介してＵＥに送信する必要がある。ここでのサブフレームのパターンは無線フレームにおける又はキャリアにおけるどのサブフレームにＳＴＲＳを積載するかを記述するためのものである。
【００９４】
具体的に、以下の２種類の方式で実現できる。
第１の方式：ＳＴＲＳの固定周期に基づいて、一つのサブフレームオフセット量のパラメーターを追加してサブフレームのパターンを記述し、具体的には後述の通りである。
第２の方式：ＳＴＲＳの固定周期に基づいて、さらに、無線フレームにおけるＳＴＲＳを積載するためのサブフレームをさまざまなパターン組合せ（組合せ種類は限られた）に作成した後、異なるパターン組合せに番号付け、番号をＵＥに通知し、具体的なパターン組合せは後述の内容を参照することができる。前記シグナリングの時効内で同一のキャリアの無線フレームにおけるＳＴＲＳを積載したサブフレームのパターンは同一であることが好ましく、これは、シグナリングの設計を簡単化し、シグナリングのオーバーヘッドの低減の便宜を図るためであって、シグナリングのオーバーヘッドを考慮しない場合、同一のキャリアの異なる無線フレームに差異のあるＳＴＲＳを積載したサブフレームのパターンを配置することもでき、これにより、更に多いサブフレームのパターンを提供でき、その配置も一層柔軟になる。ここで、本実施例に係わる無線フレームとサブフレームの関係は図３を参照することができる。
【００９５】
本実施例において、基地局とＵＥは、前記シグナリングを介して間接的にＵＥに前記新しいキャリアにおけるメイン/サブ主同期配置情況を通知すると約定する。例えば、ＵＥが基地局から送信されたＳＴＲＳの無線フレームにおけるサブフレームのパターンのシグナリング（即ち、上記の前記シグナリング）を受信すると、ＵＥは新しいキャリアにおけるＳＴＲＳを積載したサブフレームのパターンを確定する。
【００９６】
ＵＥはＳＴＲＳを積載したキャリアでＰＳＳ/ＳＳＳを配置して送信したと判定すると、ＵＥは自分がＳＴＲＳを積載したキャリアと同期していないと確定し、ＳＴＲＳを積載したキャリアからＰＳＳ/ＳＳＳを受信して、当該キャリアとの同期を実現し、自分がＳＴＲＳを積載したキャリアと同期であると判定することはない。これに対し、ＵＥが受信した情報で前記シグナリングが空白である（即ち、当該シグナリングを配置していない）ことを発現すると、ＵＥは新しいキャリアにＰＳＳ/ＳＳＳを配置していないと判定し、ＵＥは新しいキャリアとペアをなす互換性キャリアとの同期を実現するとその同時に新しいキャリアとの同期を実現できると判定する。間接的な情報によると、ＵＥが後続のプロセルを明確に把握でき、そうでないと、ＵＥはＰＳＳ/ＳＳＳが新しいキャリアに存在するかを検出してから検出結果に応じて対応するプロセスを選択して実行しなければならなく、上記技術手段によると、ＵＥ側のプロセスの複雑度を簡単化できる。
【００９７】
上記第１の方式は具体的に、基地局とＵＥがＳＴＲＳを固定周期で送信すると約定し、これにより、ＳＴＲＳの周期情報をシグナリングで送信する必要がなく、シグナリングのオーバーヘッドを低減できる。その後、ＳＴＲＳを積載したサブフレームのパターンを記述するためのパラメーターを導入し、当該パラメーターは無線フレームにおける一番目のＳＴＲＳを積載したサブフレーム位置を記述することで、一番目のサブフレームと上述の周期情報によって無線フレームにおけるＳＴＲＳを積載した一連のサブフレームを確定し、他の無線フレームに同一の配置を応用し、つまり、シグナリングの時効内に当該キャリアの全ての無線フレームにおけるＳＴＲＳを積載したサブフレームは同じである。ここで、無線フレームにおけるサブフレームの偏移を制限すると、設計を簡単化し、問題の簡単化及びシグナリングのオーバーヘッドの低減に有利である。異なる無線フレームに異なるＳＴＲＳを積載したサブフレームのパターンを配置することができ、ＳＴＲＳにさらい多いサブフレームのパターンを提供でき、柔軟性を向上できる。例えば、異なる無線フレームに異なるサブフレームのパターンを使用することを許可すると、ＳＴＲＳの周期が固定されたことに基づいて、偶数無線フレームと奇数無線フレームが用いる一番目の無線フレームが順に後方に隣接し、例えばＳＴＲＳを積載したサブフレームのパターンを記述するシグナリングはＵＥに偶数無線フレームにおける一番目のＳＴＲＳを積載したサブフレームを通知するためのものであって、奇数無線フレームは後方に隣接したサブフレームを用いると認める。さらに、当該方式は、周期のサイズに応じて、前記シグナリングに必要なオーバーヘッドのビット数を確定することができ、例えば、周期が５ｍｓである場合、３ｂｉｔで５種類の異なる無線フレームにおける一番目のＳＴＲＳを積載したサブフレームを記述すると規定し、例えば、「０００」でサブフレーム＃０を示し、「００１」でサブフレーム＃１を示し、「０１０」でサブフレーム＃２を示し、「０１１」でサブフレーム＃３を示し、「１００」でサブフレーム＃４を示す。例えば、本実施例は以下の方式も支援する。基地局とＵＥが複数の固定周期のＳＴＲＳを約定し、例えば、基地局とＵＥが偶数無線フレームで周期が５ｍｓのＳＴＲＳを用いて、奇数無線フレームで周期が３ｍｓのＳＴＲＳを用いると約定した後、基地局が２種類の無線フレームに対しＵＥにそれぞれ無線フレームにおけるサブフレームのパターンを記述するパラメーターを配置し、それぞれ対応する無線フレームにおける一番目のＳＴＲＳを積載したサブフレームを記述する。また、基地局とＵＥが連続するＮ（Ｎは固定値）個の無線フレームにおいて周期が５ｍｓであるＳＴＲＳを用いて、後続の連続するｎ（ｎは固定値、ｎがＮに等しいこともできる）個の無線フレームにおいて周期が３ｍｓであるＳＴＲＳを用いると約定し、上記のシグナリングは上述の方式で使用することもできる。連続するＮ個の無線フレームをシステムの情報訂正周期と対応させることができ、即ち、各システムの情報訂正周期内において約定した異なる固定周期のＳＴＲＳを用いることができる。
【００９８】
上記の第２の方式は具体的に、基地局とＵＥが固定周期のＳＴＲＳを用いると約定し、また、異なる無線フレームにおけるＳＴＲＳを積載したサブフレームのパターン組合せを作成し、組合せた情報をＵＥに通知する。ここで、通知されたサブフレームのパターン組合せ方式を用いる場合、パターン組合せがＳＴＲＳの送信の約定した固定周期を守ることができない場合、パターン組合せを基準にし、ここでは大量の模擬評価を経て得たパターン組合せのことを言う。
【００９９】
ＬＴＥ  ＦＤＤにおいて、本実施例は模擬評価を経て、表１〜４に示すようなパターン組合せを提供する。
【０１００】
【表１】
2015523763.tif 000003
【０１０１】
【表２】
2015523763.tif 000004
【０１０２】
【表３】
2015523763.tif 000005
【０１０３】
【表４】
2015523763.tif 000006
【０１０４】
例えば、基地局とＵＥが約定した周期が５ｍｓである場合、基地局は再びＳＴＲＳのサブフレームのパターンを介してシグナリングを配置し、番号が２であると通知すると、この時、実際の無線フレームにおけるＳＴＲＳを積載したサブフレームは＃１と＃５であって、また、当該キャリアの無線フレームにおいて全て同一のサブフレームのパターンである。例えば、基地局とＵＥがＳＴＲＳ周期が３ｍｓであると約定し、基地局は更にＳＴＲＳのサブフレームのパターンを介してシグナリングを配置して番号が２であると通知すると、この時、実際の無線フレームにおけるＳＴＲＳを積載したサブフレームは＃１、＃４、＃７であって、また、当該キャリアの無線フレームにおいて全ての同一のサブフレームのパターンである。
【０１０５】
本実施例において、隣接セルに異なるサブフレームのパターンを配置し、これにより、隣接セルの間のＳＴＲＳを積載したサブフレームは同一ではなく、隣接セルの縁部のＳＴＲＳによる干渉を避けることができる。例えば、セルＡとセルＢが隣接すると、基地局がセルＡに配置したＳＴＲＳの周期は５ｍｓであって、無線フレームにおける初期サブフレームが＃０である（本例において本実施例に記載の第１の方式を用いるとする）通知すると、セルＡにおけるＳＴＲＳを積載したサブフレームは＃０と＃５であって、各無線フレームは全て同一である。基地局がセルＢに配置したＳＴＲＳ周期は５ｍｓであって、無線フレームにおける初期サブフレームが＃２であると通知すると、セルＢにおけるＳＴＲＳを積載したサブフレームは＃２と＃７であって、セルＡとＢは異なるサブフレームをもちいてＳＴＲＳを送信し、ＳＴＲＳの同じサブフレームでの出現を防止し、ＳＴＲＳにより干渉を避けることができる。
【０１０６】
本実施例の方案に基づいて、基地局側において、基地局が新しいキャリアでＳＴＲＳを伝送すると確定した場合、基地局は新しいキャリアに上記のサブフレームのパターンのシグナリングを配置するか、又はサブフレームの初期位置を記述するパラメーターに具体的な情報を配置し、同時に基地局は前記新しいキャリアにＰＳＳ/ＳＳＳの送信を配置し、基地局が新しいキャリアでＳＴＲＳを伝送していないと確定した場合、基地局は新しいキャリアに上記のサブフレームのパターンのシグナリングを配置するか、又はサブフレームの初期位置を記述するパラメーターを空白に配置し、即ち、基地局は前記パラメーターを送信しなく、同時に基地局は前記新しいキャリアにＰＳＳ/ＳＳＳの送信を配置しない。
【０１０７】
サブフレームのパターンの方式の場合、基地局とＵＥ側のシグナリングの交換を一層低減するため、固定のサブフレームの方式を用いることができ、例えば、ＳＴＲＳの周期が固定なものを利用し、その後、基地局とＵＥがＳＴＲＳを積載したサブフレームも固定なものであると約定し、これにより、シグナリングによる通知を必要としない。例えば、上記のサブフレームのパターンから一つを選択してＳＴＲＳを積載した固定サブフレームとすることもできる。
【０１０８】
本実施例において、ＳＴＲＳサブフレームを確定する際に上記の方式とシグナリングを用いるため、さらに、基地局とＵＥが新しいキャリアのＰＳＳ/ＳＳＳの配置情况のために独立したシグナリングを導入し、上記ＳＴＲＳのシグナリングにより示唆しないことを約定する。例えば、ＵＥに新しいキャリアにＰＳＳ/ＳＳＳを配置したか否かを示すための一つのシグナリングを追加する。
【０１０９】
本実施例において、上記のＳＴＲＳのサブフレームのパターンのシグナリングを介して、ＵＥにキャリアにおけるＳＴＲＳのサブフレームの配置情報を通知する共に、ＵＥに、以下の情報を示唆する：ＵＥが上記サブフレームのパターンのシグナリングを受信した場合、ＵＥはＳＴＲＳを積載したキャリアでＰＳＳ/ＳＳＳを送信したと判定し、同時に自分がＳＴＲＳを積載したキャリアと同期していないと判定し、ＳＴＲＳを積載したキャリアからＰＳＳ/ＳＳＳを受信することで、同期を実現することによって、ＵＥが自分がＳＴＲＳを積載したキャリアと同期していると判定する可能性を排除し、ＵＥが自分ＵＥがプロセスを明確に把握できる。ＵＥが受信した上記サブフレームのパターンのシグナリングが空白である場合、即ち、送信していない場合、ＵＥはサブフレームのパターンのシグナリングに対応するキャリアにＰＳＳ/ＳＳＳを配置していないと判定し、ＵＥは当該キャリアに同期していて、同期プロセスを実行する必要がない。
【０１１０】
上述のように、本実施例によると、ＳＴＲＳの配置の柔軟性が向上され、また、ＳＴＲＳのキャリア中の無線フレームにおけるサブフレームのパターンの多様化を実現でき、隣接セルの間で異なるパターンを用いることによって、隣接セルの縁部に配置されるＳＴＲＳのサブフレームが異なり、その間のＳＴＲＳにより干渉を避けることができる。同時に、示唆する方式でＵＥにキャリアにＰＳＳ/ＳＳＳが存在するか否かを通知することによって、シグナリングのオーバーヘッドを低減しつつ、ＵＥがキャリア中の配置情報を明確に把握できるようになって、ＵＥが唯一のプロセスに従って行うことができ、ＵＥ側の複雑度を低減できる。
【０１１１】
当業者にとって、上記の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【０１１２】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【符号の説明】
【０１１３】
２０  配置モジュール
２２  送信モジュール
【図１】
2015523763.tif 000007
【図２】
2015523763.tif 000008
【図３】
2015523763.tif 000009
【国際調査報告】
2015523763.tif 000010
2015523763.tif 000011
2015523763.tif 000012
2015523763.tif 000013